(57)【要約】【課題】複数の管理装置から設備機器の運転状況に関する情報を取得するにあたり、情報の同時性を確保することができる群管理装置又は群管理プログラムを提供することである。【解決手段】本発明の群管理装置３０は、第１〜第ｎ設備機器群１５ｂ1〜１５ｂnに属する複数の設備機器１０ｃ1〜１０ｃnを集中管理する第１〜第ｎ管理装置２０ａ1〜２０ａnに接続され、第１〜第ｎ設備機器群を集中管理する群管理装置であって、第１〜第ｎ管理装置に対し、それぞれが集中管理する設備機器の運転状況の問合せを行う処理である問合せ処理を繰り返し行う複数の問合せ処理部３４ａ1，３４ａn，・・・と、第１〜第ｎ管理装置のそれぞれに、異なる問合せ処理部を１つずつ割り当てる割当部３４ｂとを備え、割当部は、少なくとも１の問合せ処理部による設備機器の問合せ処理の状況に応じて、他の問合せ処理部を第１〜第ｎ管理装置に割り当てる。【選択図】図１
2008295025.tif 000002
【特許請求の範囲】
【請求項１】
第１〜第ｎ設備機器群（１５ｂ1〜１５ｂn）に属する複数の設備機器（１０ｃ1〜１０ｃn）を集中管理する第１〜第ｎ管理装置（２０ａ1〜２０ａn）に接続され、前記第１〜第ｎ設備機器群を集中管理する群管理装置（３０）であって、
前記第１〜第ｎ管理装置に対し、それぞれが集中管理する前記設備機器の運転状況の問合せを行う処理である問合せ処理を繰り返し行う複数の問合せ処理部（３４ａ1，３４ａn，・・・）と、
前記第１〜第ｎ管理装置のそれぞれに、異なる前記問合せ処理部を１つずつ割り当てる割当部（３４ｂ）と
を備え、
前記割当部は、少なくとも１の前記問合せ処理部による前記設備機器の問合せ処理の状況に応じて、他の前記問合せ処理部を前記第１〜第ｎ管理装置に割り当てる、
群管理装置。
【請求項２】
前記問合せ処理部の数を所定の条件に基づいて決定する演算部（３４ｃ）をさらに備える、
請求項１に記載の群管理装置。
【請求項３】
前記設備機器の運転操作および／または運転状況の閲覧を可能にする操作閲覧プログラムを記憶する記憶部（３３）をさらに備え、
前記操作閲覧プログラムは、前記設備機器の関係者が有する関係者管理装置（４０）において実行可能である、
請求項２に記載の群管理装置。
【請求項４】
第１〜第ｎ設備機器群（１５ｂ1〜１５ｂn）に属する複数の設備機器１０ｃ1〜１０ｃn）を集中管理する第１〜第ｎ管理装置（２０ａ1〜２０ａn）に接続され、前記第１〜第ｎ設備機器群を集中管理する群管理装置であって、
前記第１〜第ｎ管理装置に対し、それぞれが集中管理する前記設備機器の運転状況の問合せを行うための処理である問合せ処理を繰り返し行う問合せ処理部（１３４ａ）と、
前記問合せ処理部による前記第１〜第ｎ管理装置への前記問合せ処理の順番を決定する決定部（１３４ｂ）と
を備え、
前記決定部は、前記問合せ処理部による過去の問合せ処理の状況に基づいて、前記第１〜第ｎ管理装置への前記問合せ処理の順番を決定し、
前記問合せ処理部は、前記決定部の決定した順番に基づいて、前記第１〜第ｎ管理装置に対する前記問合せ処理を行う、
群管理装置。
【請求項５】
前記決定部が決定する前記問合せ処理の順番は、前記過去の問合せ処理が正常に行われた前記第１〜第ｎ管理装置への前記問合せ処理を優先する、
請求項４に記載の群管理装置。
【請求項６】
前記設備機器の運転操作および／または運転状況の閲覧を可能にする操作閲覧プログラムを記憶する記憶部（１３３）をさらに備え、
前記操作閲覧プログラムは、前記設備機器の関係者が有する関係者管理装置（４０）において実行可能である、
請求項４に記載の群管理装置。
【請求項７】
第１〜第ｎ設備機器群（１５ｂ1〜１５ｂn）に属する複数の設備機器１０ｃ1〜１０ｃn）を集中管理する第１〜第ｎ管理装置（２０ａ1〜２０ａn）に接続され、前記第１〜第ｎ設備機器群を集中管理する群管理装置であって、
前記第１〜第ｎ管理装置に対し、それぞれが集中管理する前記設備機器の運転状況の問合せを行う処理である問合せ処理を繰り返し行う問合せ処理部（２３４ａ）と、
前記第１〜第ｎ管理装置に対する通信状態に異常が有るか否かを検出する通信異常検出部（２３４ｂ）と、
前記通信異常検出部による検出結果を記憶する記憶部（２３３）と、
を備え、
前記問合せ処理部は、前記運転状況の問合せ処理時に前記記憶部に記憶されている前記検出結果に基づき、前記第１〜第ｎ管理装置への前記問合せ処理を行う、
群管理装置。
【請求項８】
前記問合せ処理部は、前記運転状況の問合せ処理時に前記記憶部に記憶されている前記検出結果に基づき、前記第１〜第ｎ管理装置のうち過去の前記通信状態に異常がない管理装置に対してのみ問合せ処理を行う、
請求項７に記載の群管理装置。
【請求項９】
前記記憶部は、前記設備機器の運転操作および／または運転状況の閲覧を可能にする操作閲覧プログラムをさらに記憶し、
前記操作閲覧プログラムは、前記設備機器の関係者が有する関係者管理装置（４０）において実行可能である、
請求項７に記載の群管理装置。
【請求項１０】
第１〜第ｎ設備機器群に属する複数の設備機器を集中管理する第１〜第ｎ管理装置に接続され前記第１〜第ｎ設備機器群を集中管理する群管理装置に実行させるためのプログラムであって、
前記第１〜第ｎ管理装置に対し、それぞれが集中管理する前記設備機器の運転状況の問合せを行う処理である問合せ処理を繰り返し行う複数の問合せ処理部を前記群管理装置に設定する設定ステップと、
前記第１〜第ｎ管理装置のそれぞれに、異なる前記問合せ処理部を１つずつ割り当てる割当ステップと、
前記割当ステップによって割り当てられた前記問合せ処理部のそれぞれが、割り当てられた第１〜第ｎ管理装置に対し、前記問合せ処理を行う問合せ処理ステップと、
を備え、
前記割当ステップでは、前記問合せ処理ステップにおける少なくとも１の前記問合せ処理部の前記問合せ処理の状況に応じて、他の前記問合せ処理部を前記第１〜第ｎ管理装置に割り当てる、
プログラム。
【請求項１１】
第１〜第ｎ設備機器群に属する複数の設備機器を集中管理する第１〜第ｎ管理装置に接続され前記第１〜第ｎ設備機器群を集中管理する群管理装置に実行させるためのプログラムであって、
前記第１〜第ｎ管理装置に対し、それぞれが集中管理する前記設備機器の運転状況の問合せを行なう処理である問合せ処理を繰り返し行う問合せ処理部を設定する設定ステップと、
前記問合せ処理部による前記第１〜第ｎ管理装置への前記問合せ処理の順番を決定する決定ステップと、
前記第１〜第ｎ管理装置に対し、前記問合せ処理を行う問合せ処理ステップと、
を備え、
前記決定ステップでは、過去の問合せ処理の状況に基づいて、前記第１〜第ｎ管理装置への問合せの順番を決定し、
前記問合せ処理ステップでは、前記決定ステップで決定した順番に基づいて、前記第１〜第ｎ管理装置に対する前記問合せ処理を行う、
プログラム。
【請求項１２】
第１〜第ｎ設備機器群に属する複数の設備機器を集中管理する第１〜第ｎ管理装置に接続され前記第１〜第ｎ設備機器群を集中管理する群管理装置に実行させるためのプログラムであって、
前記第１〜第ｎ管理装置に対し、それぞれが集中管理する前記設備機器の運転状況の問合せを行う処理である問合せ処理を繰り返し行う問合せ処理部を設定する設定ステップと、
前記第１〜第ｎ管理装置に対し、前記問合せ処理を行う問合せ処理ステップと、
前記第１〜第ｎ管理装置に対する通信状態に異常が有るか否かを検出する通信異常検出ステップと、
前記通信異常検出ステップで検出された前記通信状態の検出結果を記憶する記憶ステップと、
を備え、
前記問合せ処理ステップは、前記通信異常検出ステップと並行して実行され、
前記問合せ処理ステップでは、前記問合せ処理時に前記記憶ステップで記憶される前記検出結果に基づき、前記第１〜第ｎ管理装置への前記問合せ処理を行う、
プログラム。
【発明の詳細な説明】
【技術分野】
【０００１】
本発明は、複数の設備機器からなる設備機器群を集中管理する群管理装置及び群管理プログラムに関する。
【背景技術】
【０００２】
従来より、多数の設備機器を複数の設備機器からなる設備機器群に分け、各群に管理装置を接続して群に属する複数の設備機器を集中管理する管理システムが採用されている（特許文献１等参照）。
【０００３】
このような管理システムでは、設備機器の運転状況を把握するために、設備機器群に接続された複数の管理装置を個別に確認する必要がある。そこで、システム内に設置された複数の管理装置で集中管理される複数の設備機器の運転状況を容易に確認できるように、複数の管理装置と接続した群管理装置を設け、群管理装置から複数の管理装置に対し、それぞれが管理する設備機器の運転状況を問合せることで、システム内の設備機器の運転状況に関する情報を取得することが想定しうる。
【特許文献１】特開２００３−３０２０９１号公報
【発明の開示】
【発明が解決しようとする課題】
【０００４】
このような群管理装置を用いて複数の管理装置から設備機器の運転状況に関する情報を取得し、その情報に基づいて設備機器の運転状況を把握する場合、群管理装置で取得する情報はできるだけ同じ時期に取得した情報であることが望ましい。しかし、群管理装置から複数の管理装置へ問合せを行う際、１の管理装置への問合せに通信異常が発生すると、他の管理装置に対する問合せを行うことができず、１の管理装置から取得する情報と他の管理装置から取得する情報とで、情報を取得する時間にずれが生じてしまう。
【０００５】
本発明の課題は、複数の管理装置から設備機器の運転状況に関する情報を取得するにあたり、時間のずれを小さくする群管理装置又は群管理プログラムを提供することである。
【課題を解決するための手段】
【０００６】
第１発明に係る群管理装置は、第１〜第ｎ設備機器群を集中管理する群管理装置であって、複数の問合せ処理部と、割当部と、を備えている。群管理装置は第１〜第ｎ管理装置に接続されている。また、第１〜第ｎ管理装置は、第１〜第ｎ設備機器群に属する複数の設備機器を集中管理する。問合せ処理部は、第１〜第ｎ管理装置に対し、第１〜第ｎ管理装置のそれぞれが集中管理する設備機器の運転状況の問合せを行う処理である問合せ処理を繰り返し行う。割当部は、第１〜第ｎ管理装置のそれぞれに、異なる問合せ処理部を１つずつ割り当てる。また、割当部は、少なくとも１の問合せ処理部による設備機器の問合せ処理の状況に応じて、他の問合せ処理部を第１〜第ｎ管理装置に割り当てる。
【０００７】
本発明に係る群管理装置では、複数の管理装置に対し、問合せ処理をそれぞれ行う複数の問合せ処理部が備えられ、割当部が、問合せ処理部の問合せ状況に応じて、いずれかの問合せ処理部をいずれかの管理装置に割り当てる。
【０００８】
これにより、他の問合せ処理部の処理状況に応じて、複数の問合せ処理部が並行して管理装置に問合せ処理を行うことができるため、例えば、１の問合せ処理部が１の管理装置に対して問合せ処理を行っている際に通信異常が発生した場合であっても、他の問合せ処理部が他の管理装置に問合せ処理を行うことができ、群管理装置で取得する各管理装置からの情報について、情報を取得する時間のずれを小さくすることができる。
【０００９】
第２発明に係る群管理装置は、第１発明に係る群管理装置であって、演算部をさらに備える。演算部は問合せ処理部の数を所定の条件に基づいて決定する。
【００１０】
本発明に係る群管理装置では、問合せ処理部の数を所定の条件に基づいて決定する演算部が備わっているため、自動的に適当な数の問合せ処理部が設けられる。ここで、所定の条件とはユーザが任意で決定する条件であって、例えば、接続する管理装置の数や問合せ処理を繰り返す間隔などの条件である。
【００１１】
これにより、群管理装置に適当な数の問合せ処理部が自動的に設けられ、ユーザが所望する時間内に全管理装置に対する問合せ処理を終了させることができる。
【００１２】
第３発明に係る群管理装置は、第２発明に係る群管理装置であって、記憶部をさらに備える。記憶部は、設備機器の運転操作および／または運転状況の閲覧を可能にする操作閲覧プログラムを記憶する。また、操作閲覧プログラムは、設備機器の関係者が有する関係者管理装置において実行可能である。
【００１３】
本発明に係る群管理装置では、記憶部に設備機器の運転操作および／または運転状況の閲覧を可能にする操作閲覧プログラムが記憶され、設備機器の関係者が有する関係者管理装置において操作閲覧プログラムが実行可能である。
【００１４】
これにより、群管理装置以外の装置における設備機器の運転操作および／または運転状況の閲覧が可能になる。
【００１５】
第４発明に係る群管理装置は、第１〜第ｎ設備機器群を集中管理する群管理装置であって、問合せ処理部と、決定部と、を備える。群管理装置は第１〜第ｎ管理装置に接続されている。第１〜第ｎ管理装置は、第１〜第ｎ設備機器群に属する複数の設備機器を集中管理する。問合せ処理部は、第１〜第ｎ管理装置に対し、それぞれが集中管理する設備機器の運転状況の問合せを行うための処理である問合せ処理を繰り返し行う。決定部は、問合せ処理部による第１〜第ｎ管理装置への問合せ処理の順番を決定する。なお、決定部は第１〜第ｎ管理装置への問合せ処理の順番を、問合せ処理部による過去の問合せ処理の状況に基づいて決定する。さらに、問合せ処理部は、決定部の決定した順番に基づいて、第１〜第ｎ管理装置に対する問合せ処理を行う。
【００１６】
本発明に係る群管理装置では、管理装置への問合せ処理の順番が、問合せ処理部の過去の問合せ処理の状況に基づいて決定される。
【００１７】
過去の問合せ処理の状況に基づいて次の問合せ処理が実行されるため、効率よく情報を取得することができ、その結果、群管理装置で取得する各管理装置からの情報について、情報を取得する時間のずれを小さくすることができる。
【００１８】
第５発明に係る群管理装置は、第４発明に係る群管理装置であって、決定部が決定する問合せ処理の順番は、過去の問合せ処理が正常に行われた第１〜第ｎ管理装置への問合せ処理を優先する。
【００１９】
本発明に係る群管理装置では、決定部が、過去の問合せ処理が正常に行われた管理装置への問合せ処理を優先するように順番を決定する。
【００２０】
したがって、例えば、通信異常の可能性がある管理装置への問合せ処理が、正常通信が行える管理装置の問合せ処理の間に入ると、結果的に、正常通信が行える管理装置への問合せ処理を行うまでに長時間を要すことになるが、そのような不利益を排し、正常に問合せ処理が行える管理装置に対して優先的に問合せ処理を行うことで、群管理装置で各管理装置から取得する情報について、情報を取得する時間のずれを小さくすることができる。
【００２１】
第６発明に係る群管理装置は、第４発明に係る群管理装置であって、記憶部をさらに備える。記憶部は、設備機器の運転操作および／または運転状況の閲覧を可能にする操作閲覧プログラムを記憶する。また、操作閲覧プログラムは、設備機器の関係者が有する関係者管理装置において実行可能である。
【００２２】
本発明に係る群管理装置では、記憶部に設備機器の運転操作および／または運転状況の閲覧を可能にする操作閲覧プログラムが記憶され、設備機器の関係者が有する関係者管理装置において操作閲覧プログラムが実行可能である。
【００２３】
これにより、群管理装置以外の装置における設備機器の運転操作および／または運転状況の閲覧が可能になる。
【００２４】
第７発明に係る群管理装置は、第１〜第ｎ設備機器群を集中管理する群管理装置であって、問合せ処理部と、通信異常検出部と、記憶部と、を備えている。群管理装置は第１〜第ｎ管理装置に接続されている。第１〜第ｎ管理装置は、第１〜第ｎ設備機器群に属する複数の設備機器を集中管理する。問合せ処理部は、第１〜第ｎ管理装置に対し、第１〜第ｎ管理装置のそれぞれが集中管理する設備機器の運転状況の問合せを行う処理である問合せ処理を繰り返し行う。通信異常検出部は、第１〜第ｎ管理装置に対する通信状態に異常が有るか否かを検出する。記憶部は、通信異常検出部による検出結果を記憶する。また、問合せ処理部は、運転状況の問合せ処理時に記憶部に記憶されている検出結果に基づき、第１〜第ｎ管理装置への前記問合せ処理を行う。
【００２５】
本発明に係る群管理装置では、管理装置に対してそれぞれが集中管理する空気調和装置の運転状況の問合せ処理をおこなう問合せ処理部と、群管理装置と管理装置との通信異常を検出する通信異常検出部がそれぞれ設けられており、問合せ処理部が通信異常検出部の検出結果に基づいて問合せ処理を行う。
【００２６】
問合せ処理部は、通信異常検出部が記憶部に記憶した検出結果に基づいて問合せ処理を行うため、各管理装置から効率よく空気調和装置の運転状況に関する情報を得ることができる。その結果、群管理装置において取得する各管理装置からの情報について、情報を取得する時間のずれを小さくすることができる。
【００２７】
第８発明に係る群管理装置は、第７発明に係る群管理装置であって、問合せ処理部は、運転状況の問合せ処理時に記憶部に記憶されている検出結果に基づき、第１〜第ｎ管理装置のうち、過去の通信状態に異常がない管理装置に対してのみ問合せ処理を行う。
【００２８】
本発明に係る群管理装置では、通信異常検出部により異常が検出されなかった管理装置に対してのみ問合せ処理を行うため、全管理装置に遅滞なく問合せ処理を行うことが可能になり、その結果、群管理装置で取得する情報について、時間のずれを小さくすることができる。
【００２９】
第９発明に係る群管理装置は、第７発明に係る群管理装置であって、記憶部は、設備機器の運転操作および／または運転状況の閲覧を可能にする操作閲覧プログラムをさらに記憶し、操作閲覧プログラムは、設備機器の関係者が有する関係者管理装置において実行可能である。
【００３０】
本発明に係る群管理装置では、記憶部に設備機器の運転操作および／または運転状況の閲覧を可能にする操作閲覧プログラムが記憶され、設備機器の関係者が有する関係者管理装置において操作閲覧プログラムが実行可能である。
【００３１】
これにより、群管理装置以外の装置における設備機器の運転操作および／または運転状況の閲覧が可能になる。
【００３２】
第１０発明に係るプログラムは、第１〜第ｎ設備機器群を集中管理する群管理装置に実行させるためのプログラムであって、設定ステップと、割当ステップと、処理ステップと、を備える。群管理装置は第１〜第ｎ設備機器群に属する複数の設備機器を集中管理する第１〜第ｎ管理装置に接続されている。設定ステップは、複数の問合せ処理部を設定する。問合せ処理部は、第１〜第ｎ管理装置に対し、それぞれが集中管理する設備機器の運転状況の問合せを行う処理である問合せ処理を繰り返し行う。割当ステップは、第１〜第ｎ管理装置のそれぞれに、異なる問合せ処理部を１つずつ割り当てる。問合せ処理ステップは、割当ステップによって割り当てられた問合せ処理部のそれぞれが、割り当てられた第１〜第ｎ管理装置に対し問合せ処理を行う。また、割当ステップでは、問合せ処理ステップにおける少なくとも１の問合せ処理部の問合せ処理の状況に応じて、他の問合せ処理部を第１〜第ｎ管理装置に割り当てる。
【００３３】
本発明に係るプログラムでは、複数の管理装置に対してそれぞれ問合せ処理を行う複数の問合せ処理部が設けられ、複数の問合せ処理部のうち他の問合せ処理部が、少なくとも１の管理装置の問合せ処理の状況に応じて割り当てられる。
【００３４】
これにより、他の問合せ処理部の処理状況を考慮しながら、複数の問合せ処理部が並行して管理装置に問合せ処理を行うことができるため、例えば、１の問合せ処理部が１の管理装置に対して問合せ処理を行っている際に通信異常が発生した場合であっても、他の問合せ処理部が他の管理装置に問合せ処理を行うことができ、群管理装置で取得する各管理装置からの情報について、情報を取得する時間のずれを小さくすることができる。
【００３５】
第１１発明に係るプログラムは、第１〜第ｎ設備機器群を集中管理する群管理装置に実行させるためのプログラムであって、設定ステップと、決定ステップと、問合せ処理ステップと、を備える。群管理装置は、第１〜第ｎ設備機器群に属する複数の設備機器を集中管理する第１〜第ｎ管理装置に接続される。設定ステップは、問合せ処理部を設定する。問合せ処理部は、第１〜第ｎ管理装置に対し、それぞれが集中管理する設備機器の運転状況の問合せを行なう処理である問合せ処理を繰り返し行う。決定ステップは、問合せ処理部による第１〜第ｎ管理装置への問合せ処理の順番を決定する。問合せ処理ステップは、第１〜第ｎ管理装置に対し問合せ処理を行う。また、決定ステップでは、過去の問合せ処理の状況に基づいて、第１〜第ｎ管理装置への問合せの順番を決定する。問合せ処理ステップでは、決定ステップで決定した順番に基づいて、第１〜第ｎ管理装置に対する問合せ処理を行う。
【００３６】
本発明に係るプログラムでは、問合せ処理部の過去の問合せ処理の状況に基づいて、問合せ処理の順番が決定し、問合せ処理部による管理装置への問合せ処理が行われる。
【００３７】
過去の問合せ処理の状況に基づいて次の問合せ処理が実行されるため、効率よく情報を取得することができ、その結果、群管理装置で取得する各管理装置からの情報について、情報を取得する時間のずれを小さくすることができる。
【００３８】
第１２発明に係るプログラムは、第１〜第ｎ設備機器群を集中管理する群管理装置に実行させるためのプログラムであって、設定ステップと、問合せ処理ステップと、通信異常検出ステップと、記憶ステップとを備える。群管理装置は、第１〜第ｎ設備機器群に属する複数の設備機器を集中管理する第１〜第ｎ管理装置に接続される。設定ステップは、問合せ処理部を設定する。問合せ処理部は、第１〜第ｎ管理装置に対し、それぞれが集中管理する設備機器の運転状況の問合せを行う処理である問合せ処理を繰り返し行う。問合せ処理ステップは、第１〜第ｎ管理装置に対して問合せ処理を行う。通信異常検出ステップは、第１〜第ｎ管理装置に対する通信状態に異常が有るか否かを検出する。記憶ステップは、通信異常検出ステップで検出された通信状態の検出結果を記憶する。さらに、問合せ処理ステップは、通信異常検出ステップと並行して実行される。また、問合せ処理ステップでは、問合せ処理時に記憶ステップで記憶される検出結果に基づき、第１〜第ｎ管理装置への問合せ処理を行う。
【００３９】
本発明に係るプログラムでは、管理装置のそれぞれが集中管理する空気調和装置の運転状況の問合せ処理をおこなうステップと、群管理装置と管理装置との通信異常を検出するステップが並行して実行され、問合せ処理は通信異常の検出結果に基づいて実行される。
【００４０】
記憶部に記憶された通信異常の検出結果に基づいて、問合せ処理が行われるため、各管理装置から効率よく空気調和装置の運転状況に関する情報を得ることができる。その結果、群管理装置において取得する各管理装置からの情報について、情報を取得する時間のずれを小さくすることができる。
【発明の効果】
【００４１】
第１発明に係る群管理装置では、１の問合せ処理部が１の管理装置に対して問合せ処理を行っている際に通信異常が発生した場合であっても、他の問合せ処理部が他の管理装置に問合せ処理を行うことができ、群管理装置で取得する各管理装置からの情報について、情報を取得する時間のずれを小さくすることができる。
【００４２】
第２発明に係る群管理装置では、適当な数の問合せ処理部が自動的に設けられ、ユーザが所望する時間内に全管理装置に対する問合せ処理を終了させることができる。
【００４３】
第３発明に係る群管理装置では、群管理装置以外の装置における設備機器の運転操作および／または運転状況の閲覧が可能になる。
【００４４】
第４発明に係る群管理装置では、効率よく情報を取得することができ、その結果、群管理装置で取得する各管理装置からの情報について、情報を取得する時間のずれを小さくすることができる。
【００４５】
第５発明に係る群管理装置では、正常に問合せ処理が行える管理装置に対して優先的に問合せ処理を行うことで、群管理装置で取得する各管理装置からの情報について、情報を取得する時間のずれを小さくすることができる。
【００４６】
第６発明に係る群管理装置では、群管理装置以外の装置における設備機器の運転操作および／または運転状況の閲覧が可能になる。
【００４７】
第７発明に係る群管理装置では、各管理装置から効率よく空気調和装置の運転状況に関する情報を得ることができる。その結果、群管理装置において取得する各管理装置からの情報について、情報を取得する時間のずれを小さくすることができる。
【００４８】
第８発明に係る群管理装置では、全管理装置に遅滞なく問合せ処理を行うことが可能になり、その結果、群管理装置で取得する情報について、時間のずれを小さくすることができる。
【００４９】
第９発明に係る群管理装置では、群管理装置以外の装置における設備機器の運転操作および／または運転状況の閲覧が可能になる。
【００５０】
第１０発明に係るプログラムでは、１の問合せ処理部が１の管理装置に対して問合せ処理を行っている際に通信異常が発生した場合であっても、他の問合せ処理部が他の管理装置に問合せ処理を行うため、群管理装置で取得する各管理装置からの情報について、情報を取得する時間のずれを小さくすることができる。
【００５１】
第１１発明に係るプログラムでは、過去の問合せ処理の状況に基づいて次の問合せ処理が実行されるため、効率よく情報を取得することができ、その結果、群管理装置で取得する各管理装置からの情報について、情報を取得する時間のずれを小さくすることができる。
【００５２】
第１２発明に係るプログラムでは、各管理装置から効率よく空気調和装置の運転状況に関する情報を得ることができる。その結果、群管理装置において取得する各管理装置からの情報について、情報を取得する時間のずれを小さくすることができる。
【発明を実施するための最良の形態】
【００５３】
〈第１実施形態〉
以下、本発明の第１実施形態に係る群管理装置３０を用いた群管理システム１００について図面を用いて説明する。
【００５４】
〈全体構成〉
図１は、本実施形態に係る群管理システム１００の構成を示す。群管理システム１００は、大学、病院、工場などに用いられる空気調和装置１０ｃ1，１０ｃ2，・・・，１０ｃnの管理システムであり、複数の空気調和装置１０ｃ1，１０ｃ2，・・・，１０ｃnと、それらを集中管理する管理装置２０ａ1，２０ａ2，・・・，２０ａnと、複数の空気調和装置１０ｃ1，１０ｃ2，・・・，１０ｃnからなる空気調和装置群１５ｂ1，１５ｂ2，・・・，１５ｂnを集中管理する群管理装置３０と、を備えている。
【００５５】
この群管理システム１００では、空気調和装置１０ｃ1，１０ｃ2，・・・，１０ｃnは専用制御線で管理装置２０ａ1，２０ａ2，・・・，２０ａnに接続され、群管理装置３０がイントラネット回線を介して管理装置２０ａ1，２０ａ2，・・・，２０ａnに接続されている。
【００５６】
なお、群管理システム１００における管理装置２０ａ1，２０ａ2，・・・，２０ａn、管理装置２０ａ1，２０ａ2，・・・，２０ａnにそれぞれ接続される設備機器群１５ｂ1，１５ｂ2，・・・，１５ｂn、及び設備機器群１５ｂ1，１５ｂ2，・・・，１５ｂnに属する空気調和装置１０ｃ1，１０ｃ2，・・・，１０ｃnの数は図１に示すものに限定されない。
【００５７】
〈各部の構成〉
（１）空気調和装置１０ｃ1，１０ｃ2，・・・，１０ｃnの概略構成
この群管理システム１００では、大学、病院、工場などの一の物件に、複数の空気調和装置１０ｃ1，１０ｃ2，・・・，１０ｃnが複数の管理装置２０ａ1，２０ａ2，・・・，２０ａnと接続されて設置されている。以下、空気調和装置１０ｃ1について図２を用いて説明するが、その他の空気調和装置１０ｃ2，・・・，１０ｃnについても同様であるものとする。
【００５８】
空気調和装置１０ｃ1は、図示されない圧縮機や熱交換器等から構成される冷媒回路を有している。また、空気調和装置１０ｃ1には、各種センサ１３ｃａ，１３ｃｂ，１３ｃｃ，１３ｃｄ，１３ｃｅ，・・・が取り付けられている。センサ１３ｃａは、空気調和装置１０ｃ1が設置されている部屋の温度を検出する。センサ１３ｃｂは、空気調和装置１０ｃ1の設置されている設備付近の外気の温度を検出する。センサ１３ｃｃは、空気調和装置１０ｃ1に含まれる圧縮機の吐出管における冷媒の温度である吐出温度を検出する。センサ１３ｃｄは、空気調和装置１０ｃ1に含まれる圧縮機の吐出管における冷媒の圧力である吐出圧を検出する。センサ１３ｃｅは、空気調和装置１０ｃ1に含まれる圧縮機の吸入管における冷媒の圧力である吸入圧を検出する。
【００５９】
さらに、空気調和装置１０ｃ1は、機器通信部１１ｃ及び機器制御部１２ｃを有している。機器通信部１１ｃは、管理装置２０ａ1と専用制御線により接続されている。機器制御部１２ｃは、外部から送信される制御命令に応じて空気調和装置１０ｃ1の動作を制御する。また、機器制御部１２ｃは、上述の各種センサ１３ｃａ，１３ｃｂ，１３ｃｃ，１３ｃｄ，１３ｃｅ，・・・に接続されており、これらにより検出された値（機器情報）を所定の間隔（本実施形態では１分）で管理装置２０ａ1に送信する。また、機器制御部１２ｃは、所定の間隔（本実施形態では１分）で各種センサ１３ｃａ，１３ｃｂ，１３ｃｃ，１３ｃｄ，１３ｃｅ，・・・から取得した値を所定の閾値と比較する等し、所定の閾値を超える等の異常を検出した場合には、その旨を示す異常情報も機器情報として管理装置２０ａ1に向けて送信する。
【００６０】
（２）管理装置２０ａ1，２０ａ2，・・・，２０ａnの概略構成
管理装置２０ａ1，２０ａ2，・・・，２０ａnは、空気調和装置１０ｃ1，１０ｃ2，・・・，１０ｃnが設けられた物件に設置され、専用の制御線を介して、複数の空気調和装置１０ｃ1，１０ｃ2，・・・，１０ｃnを集中管理している。また、管理装置２０ａ1，２０ａ2，・・・，２０ａnは、複数の空気調和装置１０ｃ1，１０ｃ2，・・・，１０ｃnからなる空気調和装置群１５ｂ1，１５ｂ2，・・・，１５ｂn毎に設けられ、後述する群管理装置３０に接続されている。ここで、空気調和装置群１５ｂ1，１５ｂ2，・・・，１５ｂnとは、システム管理者が複数の空気調和装置１０ｃ1，１０ｃ2，・・・，１０ｃnを分けた群であり、空気調和装置１０ｃ1，１０ｃ2，・・・，１０ｃnの管理を容易にするため、群毎に管理装置２０ａ1，２０ａ2，・・・，２０ａnが接続され、各管理装置２０ａ1，２０ａ2，・・・，２０ａnは、それぞれに接続された空気調和装置群１５ｂ1，１５ｂ2，・・・，１５ｂnに属する空気調和装置１０ｃ1，１０ｃ2，・・・，１０ｃnをそれぞれ管理する。以下、管理装置２０ａ1について、図３を用いて説明するが、その他の管理装置２０ａ2，・・・，２０ａnについても同様であるものとする。
【００６１】
図３に示すように、管理装置２０ａ1は、主として、管理通信部２１ａ、管理表示部２２ａ、管理記憶部２３ａ及び管理制御部２４ａから構成されている。
【００６２】
管理通信部２１ａは、第１通信部２１ａａ及び第２通信部２１ａｂを有する。第１通信部２１ａａは、後述する群管理装置３０からの制御信号を受信する。第２通信部２１ａｂは、管理装置２０ａ1と接続された空気調和装置群１５ｂ1に属する空気調和装置１０ｃ1に制御信号を送信し、空気調和装置１０ｃ1からは機器情報を受信する。なお、機器情報とは、空気調和装置１０ｃ1に設けられた各種センサ１３ｃａ，１３ｃｂ，１３ｃｃ，１３ｃｄ，１３ｃｅ，・・・により検出された値、空気調和装置１０ｃ1の異常に関する情報、及び、後述する管理制御部２４ａが、空気調和装置１０ｃ1の機器制御部１２ｃに定期的に接続して把握した空気調和装置１０ｃ1の運転状況に関する情報である。
【００６３】
管理表示部２２ａは、後述する管理プログラムが実行された際の管理画面（図４参照）を表示する。管理画面は管理装置２０ａで受け付けた情報を表示する画面であり、また、管理装置２０ａ1による複数の空気調和装置１０ｃ1の制御を受け付けるための操作画面である。
【００６４】
管理記憶部２３ａには、運転データ記憶領域２３ａａ及び起動データ記憶領域２３ａｂが確保されている。運転データ記憶領域２３ａａには、空気調和装置１０ｃ1から受信した機器情報が蓄積されている。起動データ記憶領域２３ａｂは、後述する群管理装置３０からの一括起動命令を受信した場合に、管理装置に接続された空気調和装置１０ｃ1を、当該命令受信後何秒後に起動させるかについての設定を記憶する領域である。さらに、管理記憶部２３ａには、管理装置２０ａ1に接続された空気調和装置１０ｃ1を管理するための管理プログラムを格納する領域が確保されている。
【００６５】
管理制御部２４ａは、管理記憶部２３ａに記憶された管理プログラムを実行して、管理装置２０ａ1に接続された空気調和装置群１５ｂ1に属する複数の空気調和装置１０ｃ1を集中管理する。詳細には、管理制御部２４ａは、運転データ記憶領域２３ａａに記憶されている機器情報に基づいて、空気調和装置１０ｃ1の異常の有無を所定の間隔で判断する。また、管理制御部２４ａは、空気調和装置１０ｃ1が備えた機器制御部１２ｃに定期的に接続し、空気調和装置１０ｃ1の運転状況（例えば、運転又は停止の状況）を把握する。さらに、管理制御部２４ａは、複数の空気調和装置１０ｃ1の運転の制御（運転・停止、冷房モード・暖房モード・送風モード等の運転モード変更、温度変更、風向変更、風量変更等）を行う。
【００６６】
（３）群管理装置３０の概略構成
群管理装置３０は、空気調和装置１０ｃ1，１０ｃ2，・・・，１０ｃnが設けられた物件において、例えば、空気調和装置１０ｃ1，１０ｃ2，・・・，１０ｃn等の管理を行うシステム管理者等が待機する場所に一台設置されている。また、群管理装置３０は、複数の管理装置２０ａ1，２０ａ2，・・・，２０ａnに接続されており、各管理装置２０ａ1，２０ａ2，・・・，２０ａnが集中管理する空気調和装置１０ｃ1，１０ｃ2，・・・，１０ｃnの運転状況に関する情報を、管理装置２０ａ1，２０ａ2，・・・，２０ａnを介して取得する。また、群管理装置３０は、取得した空気調和装置１０ｃ1，１０ｃ2，・・・，１０ｃnの運転状況に関する情報に基づいて、それぞれが属する空気調和装置群１５ｂ1，１５ｂ2，・・・，１５ｂnの運転状況を把握し、空気調和装置群１５ｂ1，１５ｂ2，・・・，１５ｂnを集中管理する。
【００６７】
図５に示すように、群管理装置３０は、主として、群管理通信部３１、群管理表示部３２、群管理記憶部３３及び群管理制御部３４から構成されている。
【００６８】
群管理通信部３１は、イントラネット回線を介して、管理通信部２１ａの第１通信部２１ａａと接続され、管理装置２０ａ1，２０ａ2，・・・，２０ａnに対して制御信号を送信し、管理装置２０ａ1，２０ａ2，・・・，２０ａnからは各管理装置２０ａ1，２０ａ2，・・・，２０ａnが集中管理する空気調和装置１０ｃ1，１０ｃ2，・・・，１０ｃnの機器情報を受信する。
【００６９】
群管理表示部３２は、主として、第１表示部３２ａ及び第２表示部３２ｂから構成されている。第１表示部３２ａは、後述する群管理制御部３４による複数の空気調和装置群１５ｂ1，１５ｂ2，・・・，１５ｂnの管理結果を群毎に表示する。第２表示部３２ｂは、後述する群管理制御部３４による複数の空気調和装置群１５ｂ1，１５ｂ2，・・・，１５ｂnの管理結果を包括的に表示する。
【００７０】
群管理記憶部３３には、群管理装置３０に接続された空気調和装置群１５ｂ1，１５ｂ2，・・・，１５ｂnを集中管理するための群管理プログラムを格納するための領域３３ａが確保されている。さらに、群管理記憶部３３には、処理情報記憶領域３３ｂが確保されている。処理情報記憶領域３３ｂには、後述の問合せ処理部３４ａ1，３４ａ2，・・・が管理装置２０ａ1，２０ａ2，・・・，２０ａnから取得した空気調和装置１０ｃ1，１０ｃ2，・・・，１０ｃnの運転状況に関する情報が記憶される。
【００７１】
群管理制御部３４は、問合せ処理部３４ａ1，３４ａ2，・・・、割当部３４ｂ、演算部３４ｃ、表示制御部３４ｄ、一括表示受付部３４ｅ、一括運転部３４ｆ、一括停止部３４ｇを有する。
【００７２】
問合せ処理部３４ａ1，３４ａ2，・・・は、群管理装置３０において上述の群管理プログラムが実行された際、空気調和装置群１５ｂ1，１５ｂ2，・・・，１５ｂnの運転状況に関する情報を取得するために、管理装置２０ａ1，２０ａ2，・・・，２０ａnへの問合せ処理を行う。問合せ処理とは、管理装置２０ａ1，２０ａ2，・・・，２０ａnに対して、それぞれが集中管理する空気調和装置１０ｃ1，１０ｃ2，・・・，１０ｃnの運転状況の問合せを行う処理であり、問合せ処理部３４ａ1，３４ａ2，・・・は、ＣＰＵ内で割り当てられるスレッドを意味する。問合せ処理部３４ａ1，３４ａ2，・・・による問合せ処理は後述のデータ収集間隔の度に繰り返し行われる。
【００７３】
演算部３４ｃは、所定の条件に基づいて、問合せ処理部の数を算出する。ここで、所定の条件とは、ユーザが任意で決定する条件であって、本実施形態では、群管理装置３０に接続される管理装置２０ａ1，２０ａ2，・・・，２０ａnの台数と、システム管理者等の所望のデータ収集間隔とを用いた条件である。データ収集間隔とは、群管理装置３０において空気調和装置群１５ｂ1，１５ｂ2，・・・，１５ｂnの運転状況が更新される間隔であり、詳細には、群管理装置３０に接続された全管理装置２０ａ1，２０ａ2，・・・，２０ａnの運転状況を、第１の管理装置２０ａ1から最後の管理装置２０ａnまで順に問い合わせたあと、次にまた第１の管理装置２０ａ1に対して運転状況の問合せを行うまでの間隔である。本実施形態では、群管理装置３０には、管理装置２０ａ1から管理装置２０ａ150の１５０台が接続され、全管理装置２０ａ1−２０ａ150から、それぞれが集中管理する空気調和装置１０ｃ1，１０ｃ2，・・・，１０ｃnの運転状況に関する情報を１０分以内に取得できるような条件を設け、当該条件に基づいて演算部３４ｃが決定した数の問合せ処理部３４ａ1，３４ａ2，・・・が設けられる。
【００７４】
割当部３４ｂは、演算部３４ｃによって決定された数の問合せ処理部３４ａ1，３４ａ2，・・・を群管理装置３０に接続された管理装置２０ａ1，２０ａ2，・・・，２０ａnのそれぞれに割り当てる。
【００７５】
以下に、図６を用いて詳細に説明する。本実施形態では、演算部３４ｃが、「スレッド数＞管理装置の台数×タイムアウト時間／データ収集間隔」の式に基づいて、問合せ処理部３４ａ1，３４ａ2，・・・の数を決定する。例えば、演算部３４ｃによって決定された問合せ処理部３４ａ1，３４ａ2，・・・の数が１０であった場合、割当部３４ｂは、第１問合せ処理部３４ａ1〜第１０問合せ処理部３４ａ10を第１管理装置２０ａ1〜第１０管理装置２０ａ10にそれぞれ割り当てる。第１問合せ処理部３４ａ1〜第１０問合せ処理部３４ａ10はそれぞれに割り当てられた第１管理装置２０ａ1〜第１０管理装置２０ａ10に対して問合せ処理を行う。その後、割当部３４ｂは、第１管理装置２０ａ1〜第１０管理装置２０ａ10の問合せ状況を見て、第１１管理装置２０ａ11〜第１５０管理装置２０ａ150に対する問合せ処理を行う問合せ処理部を割り当てる。例えば、第１問合せ処理部３４ａ1による第１管理装置２０ａ1への通信が正常に行われ、問合せ処理が終了すると、割当部３４ｂは、問合せ処理が終了した第１問合せ処理部３４ａ1を第１１管理装置２０ａ11に割り当てる。一方、通信異常等の理由で、第２問合せ処理部３４ａ2による第２管理装置２０ａ2への通信が完了せず、第２問合せ処理部３４ａ2が第２管理装置２０ａ2からの応答を待っているような場合、割当部３４ｂは、第１２管理装置２０ａ12への問合せ処理を、第３管理装置２０ａ3への問合せ処理が終了している第３問合せ処理部３４ａ3に割り当てる。なお、問合せ処理部３４ａ1，３４ａ2，・・・による問合せ処理に対し、タイムアウト時間（本実施形態では２０秒）が経過する前に管理装置２０ａ1，２０ａ2，・・・，２０ａnからの応答がない場合は、問合せ処理が正常に行われなかった旨を、上述の群管理表示部３２において表示する。
【００７６】
群管理制御部３４では、上述の処理情報記憶領域３３ｂに記憶された空気調和装置１０ｃ1，１０ｃ2，・・・，１０ｃnの運転状況に関する情報に基づき、空気調和装置群１５ｂ1，１５ｂ2，・・・，１５ｂnの運転状況が所定の状況であるか否かを上述の第１表示部３２ａ及び第２表示部３２ｂに表示する。なお、ここで所定の状況とは、運転や異常の状況である。
【００７７】
詳細に説明するために、図７を参照する。図７は、群管理プログラムの管理画面を示す図である。表７０の領域７１ａに並ぶ各コントローラ１，２，３，・・・は、空気調和装置群１５ｂ1，１５ｂ2，・・・，１５ｂnに接続された管理装置２０ａ1，２０ａ2，・・・，２０ａnを意味する。表７０の領域７１ｂは、空気調和装置群１５ｂ1，１５ｂ2，・・・，１５ｂnの運転状態（運転又は停止）を示す。表７０の領域７１ｃは、空気調和装置群１５ｂ1，１５ｂ2，・・・，１５ｂnの異常状態（異常又は正常）を示す。領域７１ｂ及び７１ｃに表示される空気調和装置群１５ｂ1，１５ｂ2，・・・，１５ｂnの運転状況が、第１表示部３２ａに表示される空気調和装置群１５ｂ1，１５ｂ2，・・・，１５ｂnの運転状況に相当する。また、領域７２が、上述の第２表示部３２ｂに表示される複数の空気調和装置群１５ｂ1，１５ｂ2，・・・，１５ｂnの包括的に表示された運転状況の管理結果に相当する。
【００７８】
例えば、本実施形態において、第１設備機器群１５ｂ1に属する空気調和装置１０ｃ1に１つでも運転中の空気調和装置１０ｃ1があると判断された場合は、群管理制御部３４が、第１設備機器群１５ｂ1に接続された第１管理装置２０ａ1に対応するコントローラ１の運転状態の欄７１ｂに、「運転」と表示し、いずれの空気調和装置１０ｃ1も停止している場合は、「停止」と表示する。また、第１設備機器群１５ｂ1に属する空気調和装置１０ｃ1のうち少なくとも１の空気調和装置１０ｃ1に異常が検出された場合は、群管理制御部３４が、第１設備機器群１５ｂ1に接続された第１管理装置２０ａ1に対応するコントローラ１の異常状態の欄７１ｃに、「異常」と表示し、いずれの空気調和装置１０ｃ1も正常である場合は、「正常」と表示する。さらに、空気調和装置群１５ｂ1，１５ｂ2，・・・，１５ｂnのうち少なくとも１の群が運転中である場合は、領域７２に「運転」と表示し、空気調和装置群１５ｂ1，１５ｂ2，・・・，１５ｂnのうち少なくとも１の群で異常が検出された場合は、領域７２に「異常」と表示する。
【００７９】
表示制御部３４ｄは、第１表示部３２ａにおいて群毎に表示された空気調和装置群１５ｂ1，１５ｂ2，・・・，１５ｂnの所定部分で選択を受け付けることによって作動し、管理装置２０ａ1，２０ａ2，・・・，２０ａnで起動する管理プログラムの管理画面を群管理表示部３２において表示させる。詳細には、群毎に表示された空気調和装置群１５ｂ1，１５ｂ2，・・・，１５ｂnの所定部分で選択を受け付けることにより、表示制御部３４ｄは、選択された空気調和装置群１５ｂ1，１５ｂ2，・・・，１５ｂnに接続された管理装置２０ａ1，２０ａ2，・・・，２０ａnにおける管理プログラムの管理画面（図４参照）を群管理表示部３２に表示する。本実施形態において、所定部分とは、図７の領域７３で示す部分である。
【００８０】
一括表示受付部３４ｅは、上述の第１表示部３２ａ（図７の領域７１ｃ）で「異常」と表示された全ての管理装置２０ａ1，２０ａ2，・・・，２０ａnについて、それぞれの管理装置２０ａ1，２０ａ2，・・・，２０ａnで起動した管理プログラムの管理画面を群管理表示部３２において表示させる。なお、一括表示受付部３４ｅは、例えば、群管理プログラムの管理結果を表示する画面に設けられたボタンである（図８の８０参照）。また、ここで表示される管理プログラムの管理画面は、ウェブブラウザを用いて群管理装置３０の群管理表示部３２に表示される。
【００８１】
一括運転部３４ｆは、管理装置２０ａ1，２０ａ2，・・・，２０ａnに対して、それぞれが管理する空気調和装置１０ｃ1，１０ｃ2，・・・，１０ｃnの運転を開始するよう制御信号を送信する。管理装置２０ａ1，２０ａ2，・・・，２０ａnは、当該制御信号を受信すると、管理記憶部２３ａの起動データ記憶領域２３ａｂに記憶された設定に基づき、空気調和装置１０ｃ1，１０ｃ2，・・・，１０ｃnを起動させる。一括停止部３４ｇは、管理装置２０ａ1，２０ａ2，・・・，２０ａnに対して、それぞれが管理する空気調和装置１０ｃ1，１０ｃ2，・・・，１０ｃnの運転を停止するよう制御信号を送信する。
【００８２】
なお、群管理装置３０から管理装置２０ａ1，２０ａ2，・・・，２０ａnに対する通信は、問合せ処理部３４ａ1，３４ａ2，・・・による運転状況の問合せ処理が優先される。すなわち、表示制御部３４ｄ、一括表示受付部３４ｅ、一括運転部３４ｆ、一括停止部３４ｇからの管理装置２０ａ1，２０ａ2，・・・，２０ａnに対する制御信号は、問合せ処理部３４ａ1，３４ａ2，・・・による管理装置２０ａ1，２０ａ2，・・・，２０ａnへの問合せ処理が終了した後に、管理装置２０ａ1，２０ａ2，・・・，２０ａnへ送信される。
【００８３】
〈群管理システム１００における処理の流れ〉
次に、本実施形態係る群管理システム１００における群管理プログラムの制御の流れについて、図９から図１１を参照して説明する。
【００８４】
まず、演算部３４ｃが、所定の状況に基づいて問合せ処理部３４ａ1，３４ａ2，・・・の数を決定する（ステップＳ１０１）。ステップＳ１０１で問合せ処理部３４ａ1，３４ａ2，・・・の数が決定すると、各問合せ処理部３４ａ1，３４ａ2，・・・が管理装置２０ａ1，２０ａ2，・・・，２０ａnに対する問合せ処理を開始する（ステップＳ１０２）。ここでは、まず、全ての問合せ処理部３４ａ1，３４ａ2，・・・が管理装置２０ａ1，２０ａ2，・・・，２０ａnのいずれかにそれぞれ問合せ処理を行う。その後は、割当部３４ｂが、先に問合せ処理を行っている問合せ処理部３４ａ1，３４ａ2，・・・の問合せの状況を確認し（ステップＳ１０３）、いずれかの管理装置２０ａ1，２０ａ2，・・・，２０ａnに対する問合せ処理が終了した問合せ処理部３４ａ1，３４ａ2，・・・を、次の管理装置２０ａ1，２０ａ2，・・・，２０ａnに対する問合せ処理に割り当てる（ステップＳ１０４）。問合せ処理部３４ａ1，３４ａ2，・・・が、管理装置２０ａ1，２０ａ2，・・・，２０ａnに対して空気調和装置１０ｃ1，１０ｃ2，・・・，１０ｃnの運転状況に関する問い合わせ処理を行い、空気調和装置１０ｃ1，１０ｃ2，・・・，１０ｃnの運転状況に関する情報を取得すると、当該情報が処理情報記憶領域３３ｂに記憶される（ステップＳ１０５）。問合せ処理部３４ａ1，３４ａ2，・・・による問合せ処理は全管理装置２０ａ1，２０ａ2，・・・，２０ａnに対する問合せ処理が完了するまで繰り返される（ステップ１０６）。なお、問合せ処理部３４ａ1，３４ａ2，・・・は、管理装置２０ａ1，２０ａ2，・・・，２０ａnから一定時間応答が戻ってこない場合は、当該管理装置２０ａ1，２０ａ2，・・・，２０ａnへの問合せ処理を中断し、割当部３４ｂによって、次に割り当てられた管理装置２０ａ1，２０ａ2，・・・，２０ａnに対する問合せ処理を行う。
【００８５】
群管理装置３０は、上述の問合せ処理によって管理装置２０ａ1，２０ａ2，・・・，２０ａnから取得した空気調和装置の運転状況に関する情報に基づいて、空気調和装置群１５ｂ1，１５ｂ2，・・・，１５ｂn毎の空気調和装置１０ｃ1，１０ｃ2，・・・，１０ｃnの運転状況の把握を開始する（ステップＳ１０７）。ここで、群管理制御部３４は、空気調和装置群１５ｂ1，１５ｂ2，・・・，１５ｂnの中に、異常が発生している空気調和装置１０ｃ1，１０ｃ2，・・・，１０ｃnがあるか否かを判断する（ステップＳ１０８）。１つでも異常が発生している空気調和装置１０ｃ1，１０ｃ2，・・・，１０ｃnがある場合、群管理制御部３４は、第１表示部３２ａにおいて、当該空気調和装置１０ｃ1，１０ｃ2，・・・，１０ｃnが属する空気調和装置群１５ｂ1，１５ｂ2，・・・，１５ｂnの運転状況を「異常」と表示し（ステップＳ１０９）、異常が発生している空気調和装置１０ｃ1，１０ｃ2，・・・，１０ｃnがない場合は、第１表示部３２ａに「正常」と表示する（ステップＳ１１０）。
【００８６】
さらに、群管理制御部３４は、各空気調和装置群１５ｂ1，１５ｂ2，・・・，１５ｂnの中に、運転中の空気調和装置１０ｃ1，１０ｃ2，・・・，１０ｃnがあるか否かを判断する（ステップＳ１１１）。１つでも運転中の空気調和装置１０ｃ1，１０ｃ2，・・・，１０ｃnがある場合、群管理制御部３４は、第１表示部３２ａにおいて、当該空気調和装置群１５ｂ1，１５ｂ2，・・・，１５ｂnの運転状況を「運転」と表示し（ステップＳ１１２）、いずれの空気調和装置１０ｃ1，１０ｃ2，・・・，１０ｃnも停止中である場合は、第１表示部３２ａにおいて、「停止」と表示する（ステップＳ１１３）。群管理制御部３４は、全ての空気調和装置群１５ｂ1，１５ｂ2，・・・，１５ｂnの運転状況の把握が終了するまでステップＳ１０７からステップＳ１１３を繰り返し、全ての空気調和装置群１５ｂ1，１５ｂ2，・・・，１５ｂnについて運転状況の把握が終了したら（ステップＳ１１４）、次のステップＳ１１５に進む。
【００８７】
群管理制御部３４は、空気調和装置群１５ｂ1，１５ｂ2，・・・，１５ｂnの運転状況に「異常」があるか否かを判断する（ステップＳ１１５）。ここで、１つでも異常が発生している空気調和装置群１５ｂ1，１５ｂ2，・・・，１５ｂnがある場合、第２表示部に「異常」と表示する（ステップＳ１１６）。いずれの空気調和装置群１５ｂ1，１５ｂ2，・・・，１５ｂnにも異常が発生していない場合、第２表示部に「正常」と表示する（ステップＳ１１７）。また、群管理制御部３４は、空気調和装置群１５ｂ1，１５ｂ2，・・・，１５ｂnの運転状況に「運転」があるか否かを判断する（ステップＳ１１８）。１つでも運転中の空気調和装置群１５ｂ1，１５ｂ2，・・・，１５ｂnがある場合、第２表示部に「運転」と表示する（ステップＳ１１９）。いずれの空気調和装置群１５ｂ1，１５ｂ2，・・・，１５ｂnも運転していない場合、第２表示部に「停止」と表示する（ステップＳ１２０）。
【００８８】
なお、群管理装置３０は、定期的に、及び／もしくは群管理プログラムの管理画面が操作される度にステップＳ１０７からステップＳ１２０の処理を実行し、第１表示部３２ａ及び第２表示部３２ｂに表示される運転状況を更新する（ステップＳ１２１）。
【００８９】
ここで、第１表示部３２ａに表示された空気調和装置群１５ｂ1，１５ｂ2，・・・，１５ｂnの所定の部分が選択されると（ステップＳ１２２）、群管理装置３０の表示制御部３４ｄは、当該空気調和装置群１５ｂ1，１５ｂ2，・・・，１５ｂnが接続された管理装置２０ａ1，２０ａ2，・・・，２０ａnに対して管理プログラムの管理画面に関する情報を要求する（ステップＳ１２３）。情報要求を受信した管理装置２０ａ1，２０ａ2，・・・，２０ａnは（ステップＳ１２４）、管理プログラムの管理画面に関する情報を群管理装置３０に向けて送信する（ステップＳ１２５）。なお、表示制御部３４ｄが管理装置２０ａ1，２０ａ2，・・・，２０ａnに対して管理プログラムの管理画面に関する情報を要求する際、管理装置２０ａ1，２０ａ2，・・・，２０ａnにおいて管理プログラムが起動していない場合には、管理プログラムを管理装置２０ａ1，２０ａ2，・・・，２０ａn内で起動させ、起動した管理プログラムの管理画面に関する情報を取得する。表示制御部３４ｄは、その後、群管理表示部３２において、ウェブブラウザを用いて管理プログラムの管理画面を表示させる（ステップＳ１２６）。
【００９０】
〈特徴〉
（１）本実施形態において例示した物件のように、１つの敷地内に複数の建物が分散して設置され、それぞれの建物に複数の空気調和装置１０ｃ1，１０ｃ2，・・・，１０ｃnが備えられるような物件では、効率よく空気調和装置１０ｃ1，１０ｃ2，・・・，１０ｃnを管理するために、これらの空気調和装置１０ｃ1，１０ｃ2，・・・，１０ｃnを複数の空気調和装置１０ｃ1，１０ｃ2，・・・，１０ｃnからなる群に分け、群毎に管理装置２０ａ，２０ｂ，・・・を接続して空気調和装置１０ｃ1，１０ｃ2，・・・，１０ｃnの集中管理を行うことが好ましい。しかし、群の数が増え、群に接続する管理装置の数が増えると、群管理装置３０から各管理装置２０ａ1，２０ａ2，・・・，２０ａnに対して空気調和装置１０ｃ1，１０ｃ2，・・・，１０ｃnの運転状況の問合せ処理を行う場合に、通信状態により群管理装置３０において取得する情報について、情報を取得する時間のずれが大きくなる可能性がある。すなわち、いずれかの管理装置２０ａ1，２０ａ2，・・・，２０ａnに対する問合せ処理において通信異常等が発生すると、他の管理装置２０ａ1，２０ａ2，・・・，２０ａnへの問合せ処理を行うことができないため、全管理装置２０ａ1，２０ａ2，・・・，２０ａnから空気調和装置１０ｃ1，１０ｃ2，・・・，１０ｃnの運転状況に関する情報を取得するために長時間を要し、最初に取得した情報と最後に取得した情報とでは、情報を取得した時間に大きな差が生じる場合がある。
【００９１】
本実施形態に係る群管理装置３０では、所定の条件に基づいて、適当な数の問合せ処理部３４ａ1，３４ａ2，・・・を設け、並行して複数の管理装置２０ａ1，２０ａ2，・・・，２０ａnに対する問合せ処理が実行できる。また、割当部３４ｂが、問合せ処理部３４ａ1，３４ａ2，・・・の問合せ状況を確認して、問合せ処理部３４ａ1，３４ａ2，・・・をどの管理装置２０ａ1，２０ａ2，・・・，２０ａnに対する問合せ処理に割り当てるかを決定するため、迅速に全管理装置２０ａ1，２０ａ2，・・・，２０ａnに対する問合せ処理を行うことができる。その結果、群管理装置３０において取得する空気調和装置１０ｃ1，１０ｃ2，・・・，１０ｃnの運転状況に関する情報については、情報を取得する時間のずれが小さく、群管理プログラムの管理画面においても各管理装置２０ａ1，２０ａ2，・・・，２０ａnに接続される空気調和装置群１５ｂ1，１５ｂ2，・・・，１５ｂnの同時期の運転状況を把握することができる。
【００９２】
（２）さらに、本実施形態に係る群管理装置３０では、群管理装置３０から管理装置２０ａ1，２０ａ2，・・・，２０ａnのそれぞれに制御命令を送信することによって、管理装置２０ａ1，２０ａ2，・・・，２０ａnで起動している管理プログラムの管理画面を群管理装置３０の群管理表示部３２に表示させることができ、また、群管理装置３０から管理装置２０ａ1，２０ａ2，・・・，２０ａnを介して、各管理装置２０ａ1，２０ａ2，・・・，２０ａnに接続されている空気調和装置１０ｃ1，１０ｃ2，・・・，１０ｃnの一括停止及び一括運転を行うことができる。
【００９３】
なお、群管理装置３０から各管理装置２０ａ1，２０ａ2，・・・，２０ａnに対する上述のような制御命令の送信は、問合せ処理部３４ａ1，３４ａ2，・・・による管理装置２０ａ1，２０ａ2，・・・，２０ａnへの問合せ処理が全て終了してから行われる。すなわち、問合せ処理部３４ａ1，３４ａ2，・・・が全管理装置２０ａ1，２０ａ2，・・・，２０ａnに対する問合せ処理を終了してからでなければ、群管理装置３０からの一括停止又は一括運転の命令や、管理プログラムの管理画面の表示の制御命令等、管理装置２０ａ1，２０ａ2，・・・，２０ａnに対する制御命令を送信することができない。しかし、本実施形態に係る群管理装置３０では、管理装置２０ａ1，２０ａ2，・・・，２０ａnに対する問合せ処理に要する時間を長時間確保する必要がないため、その他の制御命令も管理装置２０ａ1，２０ａ2，・・・，２０ａnに対して速やかに送信することができる。
【００９４】
〈第２実施形態〉
次に、本発明の第２実施形態に係る群管理システム１００について説明する。なお、群管理装置１３０の構成を除いては、第１実施形態に係る群管理システム１００の構成と同様であるため、全体構成、空気調和装置１０ｃ1，１０ｃ2，・・・，１０ｃnの構成、及び管理装置２０ａ1，２０ａ2，・・・，２０ａnの構成については説明を省略する。
【００９５】
（１）群管理装置１３０の概略構成
群管理装置１３０は、空気調和装置１０ｃ1，１０ｃ2，・・・，１０ｃnが設けられた物件において、例えば、空気調和装置１０ｃ1，１０ｃ2，・・・，１０ｃn等の管理を行うシステム管理者等が待機する場所に一台設置されている。また、群管理装置１３０は、複数の管理装置２０ａ1，２０ａ2，・・・，２０ａnに接続されており、各管理装置２０ａ1，２０ａ2，・・・，２０ａnが集中管理する空気調和装置１０ｃ1，１０ｃ2，・・・，１０ｃnの運転状況を、管理装置２０ａ1，２０ａ2，・・・，２０ａnを介して取得する。また、群管理装置１３０は、取得した空気調和装置１０ｃ1，１０ｃ2，・・・，１０ｃnの運転状況を、それぞれが属する空気調和装置群１５ｂ1，１５ｂ2，・・・，１５ｂn毎に集中管理する。
【００９６】
群管理装置１３０は、図１２に示すように、主として、群管理通信部１３１、群管理表示部１３２、群管理記憶部１３３及び群管理制御部１３４から構成されている。なお、群管理通信部１３１及び群管理表示部１３２は、第１実施形態の群管理通信部３１及び群管理表示部３２と同じであるため、説明を省略する。
【００９７】
群管理記憶部１３３には、群管理装置１３０に接続された空気調和装置群１５ｂ1，１５ｂ2，・・・，１５ｂnを集中管理するための群管理プログラムを格納する領域１３３ａ、問合せ状況記憶領域１３３ｂ、及び処理情報記憶領域１３３ｃが確保されている。問合せ状況記憶領域１３３ｂは、後述する問合せ処理部１３４ａによる問合せ処理の状況を記憶する。また、問合せ状況記憶領域１３３ｂに記憶される問合せ処理の状況は、問合せ処理部１３４ａが管理システム１００内に設置された管理装置２０ａ1，２０ａ2，・・・，２０ａnの全ての問合せ処理を行うたびに更新される。処理情報記憶領域１３３ｃには、後述の問合せ処理部１３４ａが管理装置２０ａ1，２０ａ2，・・・，２０ａnから取得した空気調和装置１０ｃ1，１０ｃ2，・・・，１０ｃnの運転状況に関する情報が記憶される。
【００９８】
群管理制御部１３４は、問合せ処理部１３４ａ、決定部１３４ｂ、表示制御部１３４ｃ、一括表示受付部１３４ｄ、一括運転部１３４ｅ、及び一括停止部１３４ｆを有する。なお、表示制御部１３４ｃ、一括表示受付部１３４ｄ、一括運転部１３４ｅ、及び一括停止部１３４ｆは、第１実施形態の表示制御部３４ｄ、一括表示受付部３４ｅ、一括運転部３４ｆ、及び一括停止部３４ｇと同じであるため、説明を省略する。
【００９９】
問合せ処理部１３４ａは、群管理装置１３０において群管理プログラムが実行された際、空気調和装置群１５ｂ1，１５ｂ2，・・・，１５ｂnの運転状況を把握するために、管理装置２０ａ1，２０ａ2，・・・，２０ａnへの問合せ処理を行う。問合せ処理とは、第１実施形態で説明した問合せ処理と同様に、問合せ処理部１３４ａが、管理装置２０ａ1，２０ａ2，・・・，２０ａnに対し、それぞれが集中管理する空気調和装置１０ｃ1，１０ｃ2，・・・，１０ｃnの運転状況の問合せを行う処理である。なお、問合せ処理部１３４ａによる問合せ処理は繰り返し行われる。本実施形態では、群管理装置１３０には、管理装置２０ａ1から管理装置２０ａ150の１５０台が接続されており、問合せ処理部１３４ａは、第１管理装置２０ａ1から第１５０管理装置２０ａ150まで対する問合せ処理が終了すると、再度第１管理装置２０ａ1への問合せ処理を開始する。なお、問合せ処理部１３４ａによる問合せ処理に対し、タイムアウト時間（本実施形態では２０秒）が経過する前に管理装置２０ａ1，２０ａ2，・・・，２０ａnからの応答がない場合は、問合せ処理が正常に行われなかった旨が、群管理表示部１３２に表示される。
【０１００】
決定部１３４ｂは、問合せ状況記憶領域１３３ｂに記憶された問合せ処理の状況に基づいて、問合せ処理を行う管理装置２０ａ1，２０ａ2，・・・，２０ａnの順番を決定する。図１３を用いて詳細に説明する。例えば、１回目の問合せ処理は、問合せ処理部１３４ａが第１管理装置から第１５０管理装置まで順番に問合せ処理を行う。２回目の第１問合せ処理では、決定部１３４ｂが、問合せ状況記憶領域１３３ｂに記憶された問合せ処理の状況に基づいて、問合せ処理を行う管理装置２０ａ1，２０ａ2，・・・，２０ａnの順番を決定する。例えば、１回目の第２管理装置２０ａ2に対する問合せ処理に通信異常が有った場合、決定部１３４ｂは、２回目に、問合せ処理部１３４ａが問合せ処理を行う順番を、第２管理装置２０ａ2を飛ばして、第１管理装置２０ａ1の次に第３管理装置２０ａ3への問合せ処理を行うように決定する。したがって、問合せ処理部１３４ａは第１５０管理装置２０ａ150までの問合せ処理が終了してから、第２管理装置２０ａ2への問合せ処理を行う。
【０１０１】
群管理制御部１３４では、上述の処理情報記憶領域１３３ｃに記憶された空気調和装置１０ｃ1，１０ｃ2，・・・，１０ｃnの運転状況に関する情報に基づき、空気調和装置群１５ｂ1，１５ｂ2，・・・，１５ｂnの運転状況が所定の状況であるか否かを第１表示部１３２ａ及び第２表示部１３２ｂに表示する。なお、ここで所定の状況とは、第１実施形態と同様、運転や異常の状況である。群管理制御部１３４により判断される空気調和装置群１５ｂ1，１５ｂ2，・・・，１５ｂnの運転状況、及び判断結果の第１表示部１３２ａ及び第２表示部１３２ｂへの表示は第１実施形態において図７を用いて説明したものと同様であるので、説明を省略する。
【０１０２】
なお、群管理装置１３０から管理装置２０ａ1，２０ａ2，・・・，２０ａnに対する通信は、問合せ処理部１３４ａによる運転状況の問合せ処理のための通信が優先される。すなわち、表示制御部１３４ｃ、一括表示受付部１３４ｄ、一括運転部１３４ｅ、一括停止部１３４ｆからの管理装置２０ａ1，２０ａ2，・・・，２０ａnに対する制御信号の送信は、問合せ処理部１３４ａによる管理装置２０ａ1，２０ａ2，・・・，２０ａnへの問合せ処理が終了した後に、管理装置２０ａ1，２０ａ2，・・・，２０ａnへ送信される。
【０１０３】
〈群管理システム１００における処理の流れ〉
次に、第２実施形態に係る群管理システム１００における群管理プログラムの制御の流れについて、図１４を用いて説明する。なお、本実施形態に係る群管理プログラムの制御の流れは、ステップＳ２０８以降の制御が第１実施形態に係る群管理プログラムの制御の流れで説明したステップＳ１０７以降の制御の流れと同じである。また、図１４に示すＡ以降の処理は、第１実施形態で図１０及び図１１を用いて説明した制御の流れと同様である。したがって、本実施形態では、ステップＳ２０７までの制御の流れを説明し、図１４におけるステップＳ２０８〜ステップＳ２１１の説明、及びＡ以降の処理を説明する図面及びその説明を省略する。
【０１０４】
まず、決定部１３４ｂが、問合せ状況記憶領域１３３ｂに問い合わせ処理の状況が記憶されているか否かを判断する（ステップＳ２０１）。問合せ状況記憶領域１３３ｂに記憶されている過去の問合せ状況に関する情報がある場合は、決定部１３４ｂがその状況を確認し（ステップＳ２０２）、その状況に基づいて、問合せ処理部１３４ａが問合せ処理を行う管理装置２０ａ1，２０ａ2，・・・，２０ａnの順番を決定する（ステップＳ２０３）。その後、問合せ処理部１３４ａは、管理装置２０ａ1，２０ａ2，・・・，２０ａnに対する問合せ処理を開始し（ステップＳ２０４）、その問合せ処理の状況が問合せ状況記憶領域１３３ｂに記憶される（ステップＳ２０５）。また、問合せ処理部１３４ａは、管理装置２０ａ1，２０ａ2，・・・，２０ａnから取得した空気調和装置１０ｃ1，１０ｃ2，・・・，１０ｃnに関する運転状況に関する情報を群管理記憶部１３３に記憶する（ステップＳ２０６）。なお、問合せ処理部１３４ａは、問合せ処理を行っている管理装置２０ａ1，２０ａ2，・・・，２０ａnから一定時間応答が戻ってこない場合は、当該管理装置２０ａ1，２０ａ2，・・・，２０ａnへの問合せ処理を中断し、決定部１３４ｂによって決定された次の順番に当たる管理装置２０ａ1，２０ａ2，・・・，２０ａnへの問合せ処理を行う。問合せ処理部１３４ａによる問合せ処理は群管理装置１３０に接続されている全ての管理装置２０ａ1，２０ａ2，・・・，２０ａnに対する問合せ処理が終了するまで行われる（ステップＳ２０７）。
【０１０５】
〈特徴〉
（１）本実施形態に係る群管理装置１３０では、問合せ処理部１３４ａによる過去の問合せ処理の状況に基づいて、過去の問合せ処理が正常に行われた管理装置２０ａ1，２０ａ2，・・・，２０ａnへの問合せ処理を優先させるように、決定部１３４ｂが問合せ処理の順番を決定する。通信異常等がない管理装置２０ａ1，２０ａ2，・・・，２０ａnへの問合せ処理を優先させることで、群管理装置１３０で取得する空気調和装置１０ｃ1，１０ｃ2，・・・，１０ｃnの運転状況に関する情報は時間のずれが小さく、群管理プログラムの管理画面に、同時期に取得された情報に基づく空気調和装置群１５ｂ1，１５ｂ2，・・・，１５ｂnの運転状況を表示することができる。
【０１０６】
（２）本実施形態に係る群管理装置１３０では、群管理装置１３０から管理装置２０ａ1，２０ａ2，・・・，２０ａnのそれぞれに制御命令を送信することによって、管理装置２０ａ1，２０ａ2，・・・，２０ａnで起動している管理プログラムの管理画面を群管理装置３０の群管理表示部１３２に表示させることができ、また、群管理装置１３０から管理装置２０ａ1，２０ａ2，・・・，２０ａnを介して、各管理装置２０ａ1，２０ａ2，・・・，２０ａnに接続されている空気調和装置１０ｃ1，１０ｃ2，・・・，１０ｃnの一括停止及び一括運転を行うことができる。
【０１０７】
〈第３実施形態〉
次に、本発明の第３実施形態に係る群管理システム１００について説明する。なお、群管理装置２３０の構成を除いては、第１実施形態に係る群管理システム１００の構成と同様であるため、全体構成、空気調和装置１０ｃ1，１０ｃ2，・・・，１０ｃnの構成、及び管理装置２０ａ1，２０ａ2，・・・，２０ａnの構成については説明を省略する。
【０１０８】
（１）群管理装置２３０の概略構成
群管理装置２３０は、空気調和装置１０ｃ1，１０ｃ2，・・・，１０ｃnが設けられた物件において、例えば、空気調和装置１０ｃ1，１０ｃ2，・・・，１０ｃn等の管理を行うシステム管理者等が待機する場所に一台設置されている。また、群管理装置２３０は、複数の管理装置２０ａ1，２０ａ2，・・・，２０ａnに接続されており、各管理装置２０ａ1，２０ａ2，・・・，２０ａnが集中管理する空気調和装置１０ｃ1，１０ｃ2，・・・，１０ｃnの運転状況を、管理装置２０ａ1，２０ａ2，・・・，２０ａnを介して取得する。また、群管理装置２３０は、取得した空気調和装置１０ｃ1，１０ｃ2，・・・，１０ｃnの運転状況を、それぞれが属する空気調和装置群１５ｂ1，１５ｂ2，・・・，１５ｂn毎に集中管理する。
【０１０９】
群管理装置２３０は、図１５に示すように、主として、群管理通信部２３１、群管理表示部２３２、群管理記憶部２３３及び群管理制御部２３４から構成されている。なお、群管理通信部２３１及び群管理表示部２３２は、第１実施形態の群管理通信部３１及び群管理表示部３２と同じであるため、説明を省略する。
【０１１０】
群管理記憶部２３３には、群管理装置２３０に接続された空気調和装置群１５ｂ1，１５ｂ2，・・・，１５ｂnを集中管理するための群管理プログラムを格納する領域２３３ａ、検出結果記憶領域２３３ｂ、及び処理情報記憶領域２３３ｃが確保されている。検出結果記憶領域２３３ｂは、後述する通信異常検出部２３４ｂによる検出結果を記憶する。処理情報記憶領域２３３ｃには、後述の問合せ処理部２３４ａが管理装置２０ａ1，２０ａ2，・・・，２０ａnから取得した空気調和装置１０ｃ1，１０ｃ2，・・・，１０ｃnの運転状況に関する情報が記憶される。
【０１１１】
群管理制御部２３４は、問合せ処理部２３４ａ、通信異常検出部２３４ｂ、表示制御部２３４ｃ、一括表示受付部２３４ｄ、一括運転部２３４ｅ、及び一括停止部２３４ｆを有する。なお、表示制御部２３４ｃ、一括表示受付部２３４ｄ、一括運転部２３４ｅ、及び一括停止部２３４ｆは、第１実施形態の表示制御部３４ｄ、一括表示受付部３４ｅ、一括運転部３４ｆ、及び一括停止部３４ｇと同じであるため、説明を省略する。
【０１１２】
問合せ処理部２３４ａは、群管理装置２３０において群管理プログラムが実行された際、空気調和装置群１５ｂ1，１５ｂ2，・・・，１５ｂnの運転状況を把握するために、管理装置２０ａ1，２０ａ2，・・・，２０ａnへの問合せ処理を行う。問合せ処理とは、第１実施形態で説明した問合せ処理と同様に、問合せ処理部２３４ａが、管理装置２０ａ1，２０ａ2，・・・，２０ａnのそれぞれが集中管理する空気調和装置１０ｃ1，１０ｃ2，・・・，１０ｃnの運転状況の問合せを行う処理である。なお、問合せ処理部２３４ａによる問合せ処理は所定の間隔（本実施形態では、１０分間隔）で繰り返し行われる。本実施形態では、群管理装置２３０には、管理装置２０ａ1から管理装置２０ａ150の１５０台が接続されており、問合せ処理部２３４ａは、第１管理装置２０ａ1から第１５０管理装置２０ａ150まで対する問合せ処理が終了すると、再度第１管理装置２０ａ1への問合せ処理を開始する。なお、問合せ処理部２３４ａによる問合せ処理に対し、タイムアウト時間（本実施形態では２０秒）が経過する前に管理装置２０ａ1，２０ａ2，・・・，２０ａnからの応答がない場合は、問合せ処理が正常に行われなかった旨が、群管理表示部２３２において表示される。
【０１１３】
通信異常検出部２３４ｂは、群管理装置２３０から各管理装置２０ａ1，２０ａ2，・・・，２０ａnに対する通信状態に異常が有るか否かを検出する。ここで、通信異常検出部２３４ｂは、例えば、各管理装置２０ａ1，２０ａ2，・・・，２０ａnに対して通信確認を行うための短いデータを送信し、通信に異常が有るか否かを確認する。本実施形態では、上述したように、群管理装置２３０に１５０台の管理装置２０ａ1−２０ａ150が接続されており、通信異常検出部２３４ｂは、１５０台の管理装置２０ａ1−２０ａ150に対して短いデータを送信し群管理装置２３０との通信状態を確認する。また、図１６に示すように、通信異常検出部２３４ｂは、群管理装置２３０と管理装置２０ａ1−２０ａ150との通信状態の確認を繰り返し行う。検出結果は、通信異常検出部２３４ｂが各管理装置２０ａ1−２０ａ150に対する通信状態を確認する度に、上述の検出結果記憶領域２３３ｃに記憶される。なお、通信異常検出部２３４ｂが１５０台の管理装置２０ａ1−２０ａ150に対する通信状態の確認が終了すると、検出結果記憶領域２３３ｂで記憶される検出結果に基づき、通信が正常な管理装置２０ａ1，２０ａ2，・・・，２０ａnを示すリストが形成される。上述の問合せ処理部２３４ａは、次に行う問合せ処理を、当該リストに示される管理装置２０ａ1，２０ａ2，・・・，２０ａnに対してのみ行う。なお、通信異常検出部２３４ｂにより、管理装置２０ａ1，２０ａ2，・・・，２０ａnとの通信異常が検出された場合、また、問合せ処理部２３４ａによる問合せ処理に異常があった場合は、その旨が群管理表示部２３２に表示される。
【０１１４】
群管理制御部２３４は、上述の処理情報記憶領域２３３ｃに記憶された空気調和装置１０ｃ1，１０ｃ2，・・・，１０ｃnの運転状況に関する情報に基づき、空気調和装置群１５ｂ1，１５ｂ2，・・・，１５ｂnの運転状況が所定の状況であるか否かを判断し、その判断結果を第１表示部２３２ａ及び第２表示部２３２ｂに表示する。なお、ここで所定の状況とは、第１実施形態と同様、運転や異常の状況である。群管理制御部２３４により判断される空気調和装置群１５ｂ1，１５ｂ2，・・・，１５ｂnの運転状況、及び判断結果の第１表示部２３２ａ及び第２表示部２３２ｂへの表示については、第１実施形態において図７を用いて説明したものと同様であるので、説明を省略する。
【０１１５】
なお、群管理装置２３０から管理装置２０ａ1，２０ａ2，・・・，２０ａnに対する通信は、問合せ処理部２３４ａによる運転状況の問合せ処理を優先する。すなわち、表示制御部２３４ｃ、一括表示受付部２３４ｄ、一括運転部２３４ｅ、一括停止部２３４ｆからの管理装置２０ａ1，２０ａ2，・・・，２０ａnに対する制御信号の送信は、問合せ処理部２３４ａによる管理装置２０ａ1，２０ａ2，・・・，２０ａnへの問合せ処理が終了した後に、管理装置２０ａ1，２０ａ2，・・・，２０ａnへ送信される。また、通信異常検出部２３４ｂによる処理は上述の問合せ処理及び制御信号の送信の後に行われる。
【０１１６】
〈群管理システム１００における処理の流れ〉
次に、第３実施形態に係る群管理システム１００における群管理プログラムの制御の流れについて、図１７及び図１８を用いて説明する。なお、本実施形態に係る問合せ処理部２３４ａによる処理の流れのステップＳ３１０以降は、第１実施形態に係る群管理プログラムの制御の流れで説明したステップＳ１０７以降の制御の流れと同じである。また、図１８に示すＡ以降の処理は、第１実施形態で図１０及び図１１を用いて説明した制御の流れと同様である。したがって、本実施形態では、ステップＳ３０９までの制御の流れを説明し、図１８におけるステップＳ３１０〜ステップＳ３１３の説明、及びＡ以降の処理を説明する図面及び説明を省略する。
【０１１７】
本実施形態において、通信異常検出部２３４ｂによる通信状態の確認と、問合せ処理部２３４ａの問合せ処理がそれぞれ並行して行われる。ここでは、まず通信異常検出部２３４ｂの処理の流れについて、図１７を用いて説明する。通信異常検出部２３４ｂは、群管理装置２３０に接続されている管理装置２０ａ1，２０ａ2，・・・，２０ａnに対し順番に通信状態の確認を行う（ステップＳ３０１）。通信異常検出部２３４ｂによる通信確認の結果は、各管理装置２０ａ1，２０ａ2，・・・，２０ａnに対する通信状態を確認するたびに検出結果記憶領域２３３ｂに記憶される（ステップＳ３０２）。通信異常検出部２３４ｂは、群管理装置２３０に接続されている全ての管理装置の２０ａ1，２０ａ2，・・・，２０ａn対して、通信状態の確認行う（ステップＳ３０３）。全ての管理装置に対する通信状態の確認が終了すると、検出結果記憶領域２３３ｂに記憶された検出結果に基づき、通信が正常に行われた管理装置を示すリストが作成される（ステップＳ３０４）。
【０１１８】
次に、問合せ処理部２３４ａによる処理の流れについて図１８を用いて説明する。問合せ処理部１３４ａは、管理装置２０ａ1，２０ａ2，・・・，２０ａnに対する空気調和装置１０ｃ1，１０ｃ2，・・・，１０ｃnの運転状況の問合せ処理を行う前に、上述の通信異常検出部２３４ｂによる通信が正常であった管理装置２０ａ1，２０ａ2，・・・，２０ａnを示す検出結果リストの有無を確認する（ステップＳ３０５）。検出結果リストがある場合、問合せ処理部２３４ａは、当該リストを確認し（ステップＳ３０６）、リストに示される管理装置２０ａ1，２０ａ2，・・・，２０ａnに対する問合せ処理を行う（ステップＳ３０７）。また、検出結果リストがない場合は、全ての管理装置２０ａ1，２０ａ2，・・・，２０ａnに対して空気調和装置１０ｃ1，１０ｃ2，・・・，１０ｃnの運転状況の問合せ処理を行う（ステップＳ３０７）。ここで、問合せ処理部２３４ａは、問合せ処理を行っている管理装置２０ａ1，２０ａ2，・・・，２０ａnから一定時間応答が戻ってこない場合は、当該管理装置２０ａ1，２０ａ2，・・・，２０ａnへの問合せ処理を中断し、検出結果リストに示される他の管理装置２０ａ1，２０ａ2，・・・，２０ａnへの問合せ処理を行う。なお、問合せ処理によって得られた情報は、群管理記憶部２３３に記憶される（ステップＳ３０８）。問合せ処理部２３４ａによる問合せ処理は群管理装置１３０に接続されている全ての管理装置２０ａ1，２０ａ2，・・・，２０ａnに対して問合せ処理が終了するまで行われる（ステップＳ３０９）。
【０１１９】
〈特徴〉
（１）本実施形態に係る群管理装置２３０では、通信異常検出部２３４ｂが、問合せ処理部２３４ａと並行して群管理装置２３０と管理装置２０ａ1，２０ａ2，・・・，２０ａnとの通信状態を確認しており、問合せ処理部２３４ａは、通信異常検出部２３４ｂにより検出された検出結果に基づいて、過去の問合せ処理が正常に行われた管理装置２０ａ1，２０ａ2，・・・，２０ａnに対して問合せ処理を行う。通信異常の検出と問合せ処理とをそれぞれ並行して行うことで、問合せ処理部２３４ａは、通信異常検出部２３４ｂによる検出結果に基づき、管理装置２０ａ1，２０ａ2，・・・，２０ａnへの問合せを行うことができ、その結果、群管理装置３０で得られる空気調和装置１０ｃ1，１０ｃ2，・・・，１０ｃnの運転状況に関する情報は、通信異常による情報取得の遅滞等の影響が少なく、情報を取得する時間のずれも小さい。したがって、群管理プログラムの管理画面に、同時期に取得された情報に基づいた空気調和装置群１５ｂ1，１５ｂ2，・・・，１５ｂnの運転状況を表示することができる。
【０１２０】
〈変形例〉
（１）第１から第３実施形態において、管理対象となる空気調和装置１０ｃ1，１０ｃ2，・・・，１０ｃnは、同一種類の空気調和装置１０ｃ1，１０ｃ2，・・・，１０ｃnから構成されるものに限られず、複数種類の空気調和装置１０ｃ1，１０ｃ2，・・・，１０ｃnから構成されるものであってもよい。
【０１２１】
また、設備機器は、空気調和装置１０ｃ1，１０ｃ2，・・・，１０ｃn以外の設備機器であっても良い。例えば、電源設備、給排水装置、加湿器、昇降機、照明装置、防災装置、防犯装置等であってもよく、また、複数の種類の機器が組み合わせられたものであってもよい。
【０１２２】
（２）第１から第３実施形態において、管理装置２０ａ1，２０ａ2，・・・，２０ａnと群管理装置３０はイントラネット回線以外で接続されていてもよい。例えば、専用の制御線、インターネット回線、又は電話回線で接続されるものであってもよい。
【０１２３】
（３）第１実施形態において説明した群管理プログラムの制御の流れについて、空気調和装置群１５ｂ1，１５ｂ2，・・・，１５ｂnの運転状況及びシステム全体の運転状況の判断は、異常発生の有無、運転中か否か、の順番で行われたが、運転状況の判断はこの順番に限られるものではなく、運転中か否かを判断した後で、異常発生の有無を判断してもよい。
【０１２４】
（４）第１実施形態における群管理装置３０が、問合せ処理部３４ａ1，３４ａ2，・・・による問合せ処理の状況を記憶する問合せ状況記憶領域３３ｃをさらに確保し、割当部３４ｂは、問合せ状況記憶領域３３ｃに記憶されている問合せ状況に基づいて、問合せ処理部３４ａ1，３４ａ2，・・・を各管理装置２０ａ1，２０ａ2，・・・，２０ａnへの問合せ処理に割り当ててもよい。問合せ状況記憶領域３３ｃに記憶される問合せ処理の状況は、問合せ処理部３４ａ1，３４ａ2，・・・が管理システム１００内に設置された管理装置２０ａ1，２０ａ2，・・・，２０ａnの全ての問合せ処理を行うたびに更新される。したがって、割当部３４ｂは、問合せ状況記憶領域３３ｃの問合せ状況から、前回の問合せ処理の状況を把握することができ、前回の問合せ処理において通信が正常に行われた管理装置２０ａ1，２０ａ2，・・・，２０ａnに対する問合せ処理を優先して行うように問合せ処理部３４ａ1，３４ａ2，・・・を割り当ててもよい。この場合、前回の問合せ処理において、通信が正常に行われた全ての管理装置２０ａ1，２０ａ2，・・・，２０ａnに対する問合せ処理が終了した後で、前回の問合せ処理で通信異常が発生した管理装置２０ａ1，２０ａ2，・・・，２０ａnに対する問合せ処理を行わせるように割り当てる。それにより、群管理装置３０で得られる空気調和装置１０ｃ1，１０ｃ2，・・・，１０ｃnの運転状況に関する情報は、通信異常による影響を受けにくく、群管理装置の管理画面では同時期に取得された情報に基づく運転状況を確認することができる。
【０１２５】
（５）第３実施形態における群管理装置２３０において、第１回目の通信異常検出部２３４ｂの処理が、問合せ処理部２３４ａによる問合せ処理により兼ねられていても良い。すなわち、問合せ処理部２３４ａが管理装置２０ａ1，２０ａ2，・・・，２０ａnに問合せ処理を行った結果を、検出結果記憶領域２３３ｂに記憶させ、その記憶された検出結果に基づいて、問合せ処理部２３４ａが次の問合せ処理を行っても良い。
【０１２６】
（６）第１から第３実施形態における管理システム１００では、群管理装置３０，１３０，２３０において各管理装置２０ａ1，２０ａ2，・・・，２０ａnの操作を行い、管理装置２０ａ1，２０ａ2，・・・，２０ａnで管理される空気調和装置１０ｃ1，１０ｃ2，・・・，１０ｃnを管理するが、群管理装置３０，１３０，２３０以外の場所から各管理装置２０ａ1，２０ａ2，・・・，２０ａnの操作を行えるように設計しても構わない。例えば、管理装置２０ａ1，２０ａ2，・・・，２０ａnと、群管理装置３０，１３０，２３０とを接続するイントラネット回線またはインターネット回線に、他の装置（ｗｅｂクライアント）４０（関係者管理装置に相当）を接続させ、ｗｅｂクライアント４０から管理装置２０ａ1，２０ａ2，・・・，２０ａnを操作できるように設計してもよい（図１９参照）。
【０１２７】
ここで、ｗｅｂクライアント４０は、空気調和装置１０ｃ1，１０ｃ2，・・・，１０ｃnの関係者が有する一般のパーソナルコンピュータである。空気調和装置１０ｃ1，１０ｃ2，・・・，１０ｃnの関係者とは、群管理装置３０の設置場所で空気調和装置１０ｃ1，１０ｃ2，・・・，１０ｃnを管理する上記システム管理者を含む空気調和装置１０ｃ1，１０ｃ2，・・・，１０ｃnの管理者である。また、ｗｅｂクライアント４０は、上述したように、管理装置２０ａ1，２０ａ2，・・・，２０ａnと、群管理装置３０，１３０，２３０とを接続するイントラネット回線またはインターネット回線に接続され、ｗｅｂクライアント４０と管理装置との通信、あるいはｗｅｂクライアント４０と群管理装置３０，１３０，２３０との通信は、管理装置２０ａ1，２０ａ2，・・・，２０ａnと群管理装置３０，１３０，２３０との通信プロトコルと同一の通信プロトコル（例えば、ｈｔｔｐ通信）を用いて通信させる。
【０１２８】
以下、群管理装置３０と、管理装置２０ａ1，２０ａ2，・・・，２０ａnと、空気調和装置１０ｃ1，１０ｃ2，・・・，１０ｃnとからなるシステムに、ｗｅｂクライアント４０を設けた管理システム２００（図１９参照）の構成を例示するが、群管理装置３０の代わりに群管理装置１３０，２３０を用いた場合も同様である。また、群管理装置３０，１３０，２３０及び管理装置２０ａ1，２０ａ2，・・・，２０ａnの構成については、上記実施形態で説明した構成に追加される構成についてのみ説明する。
【０１２９】
＜例示１＞
各管理装置２０ａ1，２０ａ2，・・・，２０ａnにｗｅｂサーバとしての機能をもたせる。さらに、各管理装置２０ａ1，２０ａ2，・・・，２０ａnに管理プログラムを実行するためのＪＡＶＡアプレット等のプログラムを記憶させる。Ｗｅｂクライアント４０は、各管理装置２０ａ1，２０ａ2，・・・，２０ａnからＪＡＶＡアプレット等のプログラムをダウンロードする。
【０１３０】
これにより、群管理装置３０において各管理装置２０ａ1，２０ａ2，・・・，２０ａnの操作が行えるだけではなく、ｗｅｂクライアント４０においても各管理装置２０ａ1，２０ａ2，・・・，２０ａnの操作を行い、各管理装置２０ａ1，２０ａ2，・・・，２０ａnで管理される空気調和装置１０ｃ1，１０ｃ2，・・・，１０ｃnをそれぞれ管理することができる。そのため、例えば、群管理装置３０が故障等によりダウンした場合であっても、管理装置２０ａ1，２０ａ2，・・・，２０ａnのそれぞれに直接出向くことなく、空気調和装置１０ｃ1，１０ｃ2，・・・，１０ｃnを管理することができる。
【０１３１】
＜例示２＞
群管理装置３０にｗｅｂサーバとしての機能をもたせる。さらに、群管理装置３０に各管理装置２０ａ1，２０ａ2，・・・，２０ａnの管理プログラムを実行するためのＪＡＶＡアプレット等のプログラムであって、レイアウト情報を付加したプログラムを記憶させる。レイアウト情報とは、各空気調和装置１０ｃ1，１０ｃ2，・・・，１０ｃnが設置されている部屋または建物のレイアウトを示す情報であり、例えば、図４に示すようなレイアウトである。Ｗｅｂクライアント４０は、群管理装置３０からレイアウト情報が付加されたＪＡＶＡアプレット等のプログラムをダウンロードする。
【０１３２】
これにより、ｗｅｂクライアント４０において、群管理装置３０からダウンロードしたＪＡＶＡアプレット等のプログラムおよびレイアウト情報を用いて、各管理装置２０ａ1，２０ａ2，・・・，２０ａnの操作を行い、各管理装置２０ａ1，２０ａ2，・・・，２０ａnで管理される空気調和装置１０ｃ1，１０ｃ2，・・・，１０ｃnをそれぞれ管理することができる。
【０１３３】
＜例示３＞
各管理装置２０ａ1，２０ａ2，・・・，２０ａn及び群管理装置３０にｗｅｂサーバとしての機能をもたせる。各管理装置２０ａ1，２０ａ2，・・・，２０ａnには、各管理装置２０ａ1，２０ａ2，・・・，２０ａnの管理プログラムを実行するためのＪＡＶＡアプレット等のプログラムを記憶させる。群管理装置３０には、上述した管理装置２０ａ1，２０ａ2，・・・，２０ａnのレイアウト情報を記憶させる。Ｗｅｂクライアント４０は、各管理装置２０ａ1，２０ａ2，・・・，２０ａnからＪＡＶＡアプレット等のプログラムをダウンロードし、群管理装置３０からレイアウト情報をダウンロードする。
【０１３４】
これにより、ｗｅｂクライアント４０において、群管理装置３０からダウンロードしたレイアウト情報を用いて各管理装置２０ａ1，２０ａ2，・・・，２０ａnを操作し、各管理装置２０ａ1，２０ａ2，・・・，２０ａnで管理される空気調和装置１０ｃ1，１０ｃ2，・・・，１０ｃnを管理することができる。
【０１３５】
＜例示４＞
各管理装置２０ａ1，２０ａ2，・・・，２０ａn及び群管理装置３０にｗｅｂサーバとしての機能をもたる。各管理装置２０ａ1，２０ａ2，・・・，２０ａnには、各管理装置２０ａ1，２０ａ2，・・・，２０ａnの管理プログラムを実行するためのＪＡＶＡアプレット等のプログラムを記憶させる。群管理装置３０には、群管理プログラムを実行するためのＪＡＶＡアプレット等のプログラムを記憶させる。Ｗｅｂクライアント４０は、各管理装置２０ａ1，２０ａ2，・・・，２０ａn及び群管理装置３０から、それぞれに記憶されているＪＡＶＡアプレット等のプログラムをダウンロードする。
【０１３６】
これにより、ｗｅｂクライアント４０において、各管理装置２０ａ1，２０ａ2，・・・，２０ａnで管理される空気調和装置１０ｃ1，１０ｃ2，・・・，１０ｃnの管理を個別に行うことができ、かつ、群管理装置３０で管理される空気調和装置群１５ｂ1，１５ｂ2，・・・，１５ｂnの包括的な管理を行うこともできる。
【０１３７】
上記、例示１〜例示４のような構成にすることにより、群管理装置３０，１３０，２３０で行っていた空気調和装置群１５ｂ1，１５ｂ2，・・・，１５ｂnの包括的な管理及び／あるいは管理装置２０ａ1，２０ａ2，・・・，２０ａnで行われる空気調和装置１０ｃ1，１０ｃ2，・・・，１０ｃnの管理を、一般のパーソナルコンピュータであるｗｅｂクライアント４０から行うことが可能になる。すなわち、群管理装置３０，１３０，２３０以外の場所で、空気調和装置１０ｃ1，１０ｃ2，・・・，１０ｃnおよび／または空気調和装置群１５ｂ1，１５ｂ2，・・・，１５ｂnの運転操作および運転状況の閲覧を行うことができる。
【０１３８】
〈他の実施形態〉
以上、本発明の実施形態について図面に基づいて説明したが、具体的な構成は、これらの実施形態に限られるものではなく、発明の要旨を逸脱しない範囲で変更可能である。
【産業上の利用可能性】
【０１３９】
本発明は、複数の管理装置にそれぞれ接続された複数の空気調和装置群、及び空気調和装置群に属する複数の空気調和装置を一括して管理することを可能にし、複数の管理装置から取得する設備機器の運転状況に関する情報について、情報を取得する時間のずれを小さくすることができる群管理装置又は群管理プログラムとして有用である。
【図面の簡単な説明】
【０１４０】
【図１】本発明の第１乃至第３実施形態に係る群管理システムの全体構成を示す図である。
【図２】本発明の第１乃至第３実施形態に係る空気調和装置の構成を示す図である。
【図３】本発明の第１乃至第３実施形態に係る管理装置の構成を示す図である。
【図４】本発明の第１乃至第３実施形態に係る管理プログラムの管理画面を示す図である。
【図５】本発明の第１実施形態に係る群管理装置の構成を示す図である。
【図６】本発明の第１実施形態に係る群管理プログラムの通信方法を示す図である。
【図７】本発明の第１乃至第３実施形態に係る群管理プログラムの管理画面を示す図である。
【図８】本発明の第１乃至第３実施形態に係る群管理プログラムの管理画面を示す図である。
【図９】本発明の第１実施形態に係る群管理プログラムによる制御の流れを示す図である。
【図１０】本発明の第１乃至第３実施形態に係る群管理プログラムによる制御の流れを示す図である。
【図１１】本発明の第１乃至第３実施形態に係る群管理プログラムによる制御の流れを示す図である。
【図１２】本発明の第２実施形態に係る群管理装置の構成を示す図である。
【図１３】本発明の第２実施形態に係る群管理プログラムの通信方法を示す図である。
【図１４】本発明の第２実施形態に係る群管理プログラムによる制御の流れを示す図である。
【図１５】本発明の第３実施形態に係る群管理装置の構成を示す図である。
【図１６】本発明の第３実施形態に係る群管理プログラムの通信方法を示す図である。
【図１７】本発明の第３実施形態に係る群管理プログラムによる制御の流れを示す図である。
【図１８】本発明の第３実施形態に係る群管理プログラムによる制御の流れを示す図である。
【図１９】本発明の変形例（６）に係る群管理システムの全体構成を示す図である。
【符号の説明】
【０１４１】
１０ｃ1，１０ｃ2，・・・，１０ｃn  空気調和装置
１５ｂ1，１５ｂ2，・・・，１５ｂn  空気調和装置群
２０ａ1，２０ａ2，・・・，２０ａn  管理装置
３０，１３０，２３０  群管理装置
３１，１３１，１３１  群管理通信部
３２，１３２，２３２  群管理表示部
３３，１３３，２３３  群管理記憶部
３４，１３４，２３４  群管理制御部
１００          群管理システム
【図１】
2008295025.tif 000003
【図２】
2008295025.tif 000004
【図３】
2008295025.tif 000005
【図４】
2008295025.tif 000006
【図５】
2008295025.tif 000007
【図６】
2008295025.tif 000008
【図７】
2008295025.tif 000009
【図８】
2008295025.tif 000010
【図９】
2008295025.tif 000011
【図１０】
2008295025.tif 000012
【図１１】
2008295025.tif 000013
【図１２】
2008295025.tif 000014
【図１３】
2008295025.tif 000015
【図１４】
2008295025.tif 000016
【図１５】
2008295025.tif 000017
【図１６】
2008295025.tif 000018
【図１７】
2008295025.tif 000019
【図１８】
2008295025.tif 000020
【図１９】
2008295025.tif 000021